(57)【要約】【課題】テレビ放送信号を増幅して、送信アンテナから再送信させるテレビ放送再送信装置において、テレビ放送信号の信号レベルやチャンネル数が変化しても、送信アンテナから再送信させるテレビ放送信号の信号レベルを適正レベルに制御できるようにする。【解決手段】テレビ放送再送信装置においては、受信設備からの受信信号の中からテレビ放送信号をチャンネル毎に選局して信号レベルを検出し(S120、S130、S160、S170) 、その検出した信号レベルから、実際に放送が行われているチャンネルを識別して、そのチャンネルの信号レベルをメモリに記憶する(S140、S150)。 そして、その信号レベルの中から最大信号レベルを抽出して(S180)、最大信号レベルのテレビ放送信号の送信アンテナ４からの送信電力が、規定値を超えることのない範囲内で最大となるよう、ＡＧＣ回路２０を介して増幅器の利得を制御する(S200)。【選択図】図２
2010239533.tif 000002
【特許請求の範囲】
【請求項１】
テレビ放送電波を受信する受信設備から伝送線を介して伝送されてくる受信信号を取り込み、該受信信号を増幅手段にて増幅して送信アンテナに出力することで、前記受信設備で受信されたテレビ放送信号を前記送信アンテナから再送信させるテレビ放送再送信装置であって、
前記増幅手段の利得を目標利得に制御する利得調整手段と、
前記受信信号に含まれるテレビ放送信号をチャンネル毎に順次選局し、その選局した各チャンネルのテレビ放送信号の信号レベルを検出するレベル検出手段と、
該レベル検出手段にて検出された各チャンネルの信号レベルの中から、もっともレベルの高い信号レベルを選択し、その選択した信号レベルのテレビ放送信号が前記増幅手段にて所定レベルまで増幅されるよう、前記利得調整手段が前記増幅手段の利得を制御する際の目標利得を設定する目標利得設定手段と、
を備え、前記レベル検出手段は、前記受信信号に含まれるテレビ放送信号の全チャンネル分の選局及びレベル検出動作を周期的に行い、
前記目標利得設定手段は、前記レベル検出手段の周期的動作によって、前記受信信号に含まれる全チャンネル分の信号レベルが検出される度に、その検出結果に基づき前記目標利得を設定することを特徴とすることを特徴とするテレビ放送再送信装置。
【請求項２】
前記目標利得設定手段は、前記レベル検出手段にて前記受信信号に含まれるテレビ放送信号が選局されず、テレビ放送が全チャンネル停波しているときには、前記目標利得を最小利得に設定することを特徴とする請求項１に記載のテレビ放送再送信装置。
【発明の詳細な説明】
【技術分野】
【０００１】
本発明は、テレビ放送電波を受信する受信設備から伝送されてきた受信信号を増幅して送信アンテナに出力することで、テレビ放送信号を再送信させるテレビ放送再送信装置に関する。
【背景技術】
【０００２】
この種のテレビ放送再送信装置において、送信アンテナからテレビ放送信号を再送信させる際の送信電力は、電波法等で規定されている。このため、従来のテレビ放送再送信装置には、通常、再送信するテレビ放送信号を増幅する増幅器として、自動利得調整回路（ＡＧＣ回路）付きのものが使用されている。
【０００３】
つまり、従来のテレビ放送再送新装置においては、増幅器からの出力レベルが所定の一定レベルとなるよう、増幅器の利得を自動調整するＡＧＣ回路を設けることにより、送信アンテナからのテレビ放送信号の送信電力を、規定値を超えることのない適正レベルに制御するようにされている。
【０００４】
ところで、このようにＡＧＣ回路付き増幅器を用いて送信電力を制御する場合、テレビ放送信号を１チャンネル毎に増幅するようにすれば、テレビ放送信号の送信電力をチャンネル毎に適正レベルに制御することができるものの、ＡＧＣ回路付き増幅器が、再送信するテレビ放送信号の全チャンネル分必要になるため、テレビ放送再送信装置のコストアップを招くという問題がある。
【０００５】
これに対し、放送周波数帯域全体をカバーする広帯域のＡＧＣ回路付き増幅器で、再送信するテレビ放送信号を全放送チャンネル分一括して増幅するようにすれば、ＡＧＣ回路付き増幅器を１台だけ設ければよいので、テレビ放送再送信装置の装置構成を簡単にして、そのコストを低減することができる。
【０００６】
しかし、この場合、ＡＧＣ回路は、通常、増幅器から出力される全放送チャンネル分のテレビ放送信号の信号レベル（換言すれば合成電力）を検出して、増幅器の利得を調整するように構成されるため、再送信するテレビ放送信号のチャンネル数が変化すると、各チャンネルのテレビ放送信号の送信電力が変動し、場合によっては、その送信電力が規定値を超えることがある。
【０００７】
つまり、テレビ放送は、放送局側での機器のメンテナンス等のために、一時的に中断されることがあるが、この場合、再送信するテレビ放送信号のチャンネル数が正規の数よりも少なくなるため、増幅器から出力されるテレビ放送信号１チャンネル当たりの信号レベルが増加し、送信アンテナから再送信されるテレビ放送信号１チャンネル分の送信電力が規定値を超えてしまうことがある。
【０００８】
一方、この問題を防止するため、従来では、テレビ放送信号の受信設備側で、受信したテレビ放送信号のチャンネル数を検出し、そのチャンネル数に反比例したレベルを有するパイロット信号を生成して、テレビ放送信号と一緒にテレビ放送再送信装置まで伝送するようにし、テレビ放送再送信装置側では、そのパイロット信号が所定レベルとなるよう増幅器の利得を調整することが提案されている（例えば、特許文献１等参照）。
【０００９】
この提案の装置によれば、再送信するテレビ放送信号のチャンネル数が少ない程、パイロット信号の信号レベルが高くなるため、テレビ放送再送信装置側で調整される増幅器の
利得は小さくなる。
【００１０】
従って、この提案の装置において、チャンネル数に対するパイロット信号の信号レベルと増幅器の利得との関係を適正に設定しておけば、再送信するテレビ放送信号のチャンネル数に関わらず、各チャンネルのテレビ放送信号の送信電力を規定値以下の適正レベルに自動調整することができるようになる。
【先行技術文献】
【特許文献】
【００１１】
【特許文献１】特開２００５−３５４１４９号公報
【発明の概要】
【発明が解決しようとする課題】
【００１２】
しかしながら、上記提案の装置においては、増幅器の利得を、再送信するテレビ放送信号のチャンネル数に応じて信号レベルが変化するパイロット信号だけで制御するので、受信設備側でテレビ放送信号の受信レベルが変動すると、送信アンテナから再送信されるテレビ放送信号の送信電力も変動してしまい、テレビ放送信号を、規定値を超えることのない最適レベルで、安定して再送信することができないという問題があった。
【００１３】
本発明は、こうした問題に鑑みなされたものであり、受信設備から伝送されてきた多チャンネルのテレビ放送信号を各チャンネル共通の増幅器を用いて増幅し、送信アンテナから再送信させるテレビ放送再送信装置において、受信設備で受信されるテレビ放送信号の信号レベルやチャンネル数が変化しても、送信アンテナから再送信させるテレビ放送信号の信号レベルを適正レベルに制御できるようにすることを目的とする。
【課題を解決するための手段】
【００１４】
かかる目的を達成するためになされた請求項１に記載の発明は、
テレビ放送電波を受信する受信設備から伝送線を介して伝送されてくる受信信号を取り込み、該受信信号を増幅手段にて増幅して送信アンテナに出力することで、前記受信設備で受信されたテレビ放送信号を前記送信アンテナから再送信させるテレビ放送再送信装置であって、
前記増幅手段の利得を目標利得に制御する利得調整手段と、
前記受信信号に含まれるテレビ放送信号をチャンネル毎に選局し、その選局した各チャンネルのテレビ放送信号の信号レベルを検出するレベル検出手段と、
該レベル検出手段にて検出された各チャンネルの信号レベルの中から、もっともレベルの高い信号レベルを選択し、その選択した信号レベルのテレビ放送信号が前記増幅手段にて所定レベルまで増幅されるよう、前記利得調整手段が前記増幅手段の利得を制御する際の目標利得を設定する目標利得設定手段と、
を備え、前記レベル検出手段は、前記受信信号に含まれるテレビ放送信号の全チャンネル分の選局及びレベル検出動作を周期的に行い、
前記目標利得設定手段は、前記レベル検出手段の周期的動作によって、前記受信信号に含まれる全チャンネル分の信号レベルが検出される度に、その検出結果に基づき前記目標利得を設定することを特徴とする。
【００１５】
また、請求項２に記載の発明は、請求項１に記載のテレビ放送再送信装置において、前記目標利得設定手段は、前記レベル検出手段にて前記受信信号に含まれるテレビ放送信号が選局されず、テレビ放送が全チャンネル停波しているときには、前記目標利得を最小利得に設定することを特徴とする。
【発明の効果】
【００１６】
請求項１に記載のテレビ放送再送信装置においては、レベル検出手段が、受信信号に含まれる放送信号をチャンネル毎に選局し、その選局した各チャンネルのテレビ放送信号の信号レベルを検出する。
【００１７】
そして、このレベル検出手段にて、受信信号に含まれるテレビ放送信号の全チャンネル分のレベル検出がなされると、目標利得設定手段が、その検出された各チャンネルの信号レベルの中から、もっともレベルの高い信号レベルを選択し、その選択した信号レベルのテレビ放送信号が増幅手段にて所定レベルまで増幅されるよう、利得調整手段が増幅手段の利得を制御する際の目標利得を設定する。
【００１８】
また、レベル検出手段は、テレビ放送信号の全チャンネル分の選局及びレベル検出動作を周期的に行い、目標利得設定手段は、レベル検出手段の周期的動作によって受信信号に含まれる全チャンネル分の信号レベルが検出される度に、その検出結果に基づき目標利得を設定する。
【００１９】
従って、本発明のテレビ放送再送信装置によれば、受信設備側でテレビ放送信号の受信レベルが変動しても、その受信レベルが最大となるチャンネルのテレビ放送信号の送信電力が、規定値を超えることのない最適レベルとなるよう、増幅手段の利得を自動調整することができる。
【００２０】
このため、本発明のテレビ放送再送信装置によれば、受信設備で受信されたテレビ放送信号を、その送信電力が規定値を超えることのない範囲内で、最大の利得（＝目標利得）で増幅して、送信アンテナから再送信させることができるようになる。
【００２１】
また、増幅器の利得は、再送信するテレビ放送信号のチャンネル数に関係なく、受信レベルが最大となるテレビ放送信号の信号レベルに基づき設定されるので、放送局からのテレビ放送の中断（所謂停波）等によって、再送信するチャンネル数が減っても、テレビ放送信号を適正な送信電力で再送信することができる。
【００２２】
次に、請求項２に記載のテレビ放送再送信装置においては、レベル検出手段にて受信信号に含まれるテレビ放送信号が選局されず、テレビ放送が全チャンネル停波しているときには、目標利得設定手段が、増幅手段の目標利得を最小利得に設定する。
【００２３】
このため、請求項２に記載のテレビ放送再送信装置によれば、例えば、テレビ放送が全チャンネル停波している状態で、特定のチャンネルでテレビ放送が再開され、その後、レベル検出手段、目標利得設定手段、及び利得調整手段の動作によって、増幅手段の利得が目標利得に制御される迄の間に、そのチャンネルのテレビ放送信号が高利得で増幅されて、送信アンテナからの送信電力が規定値を超えてしまう、といったことを防止することができる。
【図面の簡単な説明】
【００２４】
【図１】実施形態のテレビ放送再送信装置の構成を表すブロック図である。
【図２】制御回路にて実行される目標利得設定処理を表すフローチャートである。
【発明を実施するための形態】
【００２５】
以下に本発明の実施形態を図面と共に説明する。
図１は、本発明が適用されたテレビ放送再送信装置の構成を表すブロック図である。
本実施形態のテレビ放送再送信装置１０は、地上デジタル放送のテレビ放送電波を受信
する受信アンテナ単体、若しくは、その受信アンテナや増幅装置等から構成されるテレビ放送受信用の受信設備から、伝送線や分岐・分波器等を介して伝送されてきた受信信号を、テレビ放送電波が届かない場所に再送信するためのものであり、図１に示すように構成されている。
【００２６】
すなわち、テレビ放送再送信装置１０は、例えば建造物の壁面等に設置されたテレビ端子２を介して、前記受信設備から伝送線等を介して伝送されてきた受信信号を取り込み、その受信信号を前後２段の増幅回路１２、１６からなる増幅器にて所定レベルまで増幅して、送信アンテナ４に出力することで、受信設備で受信されたテレビ放送信号を建造物内若しくは建造物周囲に再送信するようにされている。
【００２７】
また、増幅器を構成する前後２段の増幅回路１２、１６の出力側には、可変減衰回路からなる利得調整回路（ＧＣ回路）１４、１８が設けられており、これら各ＧＣ回路１４，１８の減衰量を、自動利得調整回路（ＡＧＣ回路）２０が調整することにより、ＡＧＣ回路２０が増幅器全体の利得を調整するようにされている。従って、本実施形態のテレビ放送再送信装置１０は、ＡＧＣ回路付き増幅器として機能することになる。
【００２８】
また次に、テレビ放送再送信装置１０において、テレビ端子２から初段の増幅回路１２に至る受信信号の入力経路には、この経路を流れる受信信号の一部を分岐させる分岐回路２２が設けられている。
【００２９】
そして、この分岐回路２２で分岐された受信信号は、増幅回路２４にて増幅された後、周波数変換用のミキサ２８に入力され、ミキサ２８にて、局部発振器２６が発生した高周波信号と混合されることにより、元の受信信号よりも周波数の低い受信信号に周波数変換される。
【００３０】
また、その周波数変換された受信信号は、通過周波数帯域がテレビ放送１チャンネル分の周波数帯域（６ＭＨｚ）に設定されたバンドパスフィルタ（ＢＰＦ）３０を介して、増幅回路３２に入力され、増幅回路３２にて更に増幅された後、検波器３４にて検波される。
【００３１】
一方、局部発振器２６は、発振周波数を制御電圧により制御可能な電圧可変発振器（所謂ＶＣＯ）にて構成されており、選局回路３６からの制御電圧により発振周波数が調整される。
【００３２】
また、選局回路３６は、マイクロコンピュータを中心に構成された制御回路４０からの選局指令に従い、局部発振器２６の発振周波数を制御することで、地上デジタル放送で使用されるチャンネル１３から６２のテレビ放送信号の内、制御回路４０から指令された任意の１チャンネル分（以下、このチャンネルを選局チャンネルという）の受信信号を、ＢＰＦ３０を通過可能な中間周波信号に周波数変換させるものである。
【００３３】
次に、制御回路４０には、検波器３４からの検波電圧（つまり、ＢＰＦ３０を通過した選局チャンネルの受信信号の検波電圧）が入力される。つまり、制御回路４０は、選局回路３６を介して局部発振器２６の発振周波数を制御することにより、選局チャンネルのテレビ放送信号を、ＢＰＦ３０を通過する周波数帯に周波数変換させ、ＢＰＦ３０を通過したテレビ放送信号の検波電圧を検波器３４を介して取り込むことにより、そのテレビ放送信号の信号レベルを検出する。
【００３４】
そして、制御回路４０は、この動作を、地上デジタル放送の全チャンネルに対して行うことにより、受信信号に含まれるテレビ放送信号の信号レベルを全チャンネル分検出し、
その検出結果に基づき、ＡＧＣ回路２０が増幅器全体の利得を調整する際の目標利得（換言すればＡＧＣ回路２０が各ＧＣ回路１４、１８の減衰量を調整する際の制御量）を設定する。
【００３５】
以下、このように制御回路４０にて実行される目標利得設定処理を、図２に示すフローチャートに沿って説明する。
この目標利得設定処理は、テレビ放送再送信装置に電源が投入されて、制御回路（マイクロコンピュータ）４０が起動した後、制御回路４０にて繰り返し実行される処理であり、処理が開始されると、まずＳ１１０（Ｓはステップを表す）にて、ＡＧＣ回路２０の目標利得を、最小値（最小利得）、若しくは、電源が遮断される前に前回制御していた目標利得（前回値）に初期設定する。
【００３６】
なお、この初期設定は、最小値及び前回値の目標利得の何れを設定するようにしてもよいが、目標利得の初期値として最小値を設定するようにした場合には、ＡＧＣ回路２０により、ＧＣ回路１４、１８の減衰量が最大に制御されて、送信アンテナ４から再送信されるテレビ放送信号の送信電力が最小になり、テレビ放送信号の送信電力が電波法等で規定された規定値を超えるのをより確実に防止できる。
【００３７】
次に、Ｓ１２０では、選局回路３６に対し指令する選局チャンネルを、地上デジタル放送の最小チャンネル：１３（若しくは最大チャンネル：５２）に初期設定することで、その選局チャンネルのテレビ放送信号を、ＢＰＦ３０を通過可能な中間周波信号に周波数変換させる。
【００３８】
また次に、続くＳ１３０では、検波器３４から検波電圧を取り込むことで、選局チャンネルのテレビ放送信号の信号レベルを検出し、続く１４０にて、その検出した信号レベルが放送信号の有無を判定する判定レベルよりも高いか否かを判断することにより、現在、選局チャンネルでテレビ放送が行われているか否かを判断する。
【００３９】
そして、Ｓ１３０にて検出された信号レベルが、判定レベルよりも高く、選局チャンネルでテレビ放送が行われている場合には、Ｓ１５０にて、その信号レベルを放送チャンネルに関連づけて、制御回路４０内のメモリ（ＲＡＭ等）に記憶した後、Ｓ１６０に移行し、逆に、Ｓ１３０にて検出された信号レベルが、判定レベル以下で、選局チャンネルではテレビ放送が行われていない場合には、そのままＳ１６０に移行する。
【００４０】
Ｓ１６０では、上記Ｓ１３０〜Ｓ１５０の一連の処理が、地上デジタル放送の全チャンネル分実行されたか否かを判断し、地上デジタル放送の全チャンネル分実行されていなければ、Ｓ１７０にて、選局チャンネルの値を「＋１」（若しくは「−１」）することにより選局チャンネルを変更し、Ｓ１３０に移行する。
【００４１】
また逆に、Ｓ１６０にて、上記Ｓ１３０〜Ｓ１５０の一連の処理が、地上デジタル放送の全チャンネル分実行されたと判断された場合には、Ｓ１８０に移行し、上記Ｓ１３０〜Ｓ１５０の一連の処理を地上デジタル放送の全チャンネル分実行することによりメモリに記憶された、現在放送中（換言すれば再送信中）のテレビ放送信号の信号レベルの中から、信号レベルが最も高い最大信号レベルを抽出する。
【００４２】
そして、続くＳ１９０では、Ｓ１８０にて、最大信号レベルが抽出できたか否か、詳しくは、メモリに現在放送中（換言すれば再送信中）のテレビ放送信号の信号レベルが一つでも記憶されていて、その中から最大信号レベルが抽出できたか否か、を判断する。
【００４３】
Ｓ１９０にて、最大信号レベルが抽出できたと判断されると、Ｓ２００に移行して、その最大受信レベルに基づき、ＡＧＣ回路２０の目標利得を設定する。具体的には、最大受信レベルのテレビ放送信号を送信アンテナ４から放射させた際に、その送信電力が、電波法等で規定された規定値を超えることのない範囲内で、最大となるよう、ＡＧＣ回路２０の目標利得を設定する。そして、その目標利得の設定後は、再度Ｓ１２０に移行し、上記一連の処理を再度実行する。
【００４４】
一方、Ｓ１９０にて、最大信号レベルが抽出できなかったと判断されると、現在放送中（換言すれば再送信中）のテレビ放送信号がなく、地上デジタル放送が全チャンネル停波しているので、Ｓ２１０に移行して、ＡＧＣ回路２０の目標利得を最小値（最小利得）に設定し、再度Ｓ１２０に移行する。
【００４５】
以上説明したように、本実施形態のテレビ放送再送信装置１０においては、受信施設から伝送されてくる可能性のある地上デジタル放送の全チャンネルに渡って、テレビ放送信号の信号レベルを検出し（Ｓ１２０、Ｓ１３０、Ｓ１６０、Ｓ１７０）、その検出した信号レベルから、実際に放送が行われているチャンネルを識別して、そのチャンネルの信号レベルをメモリに記憶し（Ｓ１４０、Ｓ１５０）、その記憶した信号レベルの中から最もレベルの高い最大信号レベルを抽出して（Ｓ１８０）、その最大信号レベルのテレビ放送信号の送信アンテナ４からの送信電力が、規定値を超えることのない範囲内で最大となるよう、ＡＧＣ回路２０を介して増幅器の利得を制御する（Ｓ２００）。
【００４６】
このため、本実施形態のテレビ放送再送信装置１０によれば、受信設備側でテレビ放送信号の受信レベルが変動しても、その受信レベルが最大となるチャンネルのテレビ放送信号の送信電力が、規定値を超えることのない最適レベルとなるよう、増幅器の利得を制御できることになり、送信アンテナ４から受信端末側には、各チャンネルの放送信号を、一つの増幅器で実現し得る最大の電力で配信することができるようになる。
【００４７】
また、増幅器の利得（換言すれば増幅率）は、再送信するテレビ放送信号のチャンネル数に関係なく、受信レベルが最大となるテレビ放送信号の信号レベルに基づき設定されるので、放送局からのテレビ放送の中断（所謂停波）等によって、再送信するチャンネル数が減っても、テレビ放送信号を適正な送信電力で再送信することができる。
【００４８】
また更に、本実施形態では、テレビ放送が全チャンネル停波しているときには、目標利得を最小値（最小利得）に設定する（Ｓ２１０）ことから、何れかのチャンネルでテレビ放送が再開され、その後、そのテレビ放送信号の信号レベルに基づき増幅器の利得が制御される迄の間に、テレビ放送信号が高利得で増幅されて、送信アンテナからの送信電力が規定値を超えてしまうのを防止することができる。
【００４９】
なお、本実施形態においては、ＡＧＣ回路２０が本発明の利得調整手段に相当し、選局回路３６、局部発振器２６、ミキサ２８、ＢＰＦ３０及び検波器３４と、Ｓ１２０〜Ｓ１７０の処理とが、本発明のレベル検出手段に相当し、Ｓ１８０〜Ｓ２１０の処理が、本発明の目標利得設定手段に相当する。
【００５０】
以上、本発明の一実施形態について説明したが、本発明は、上記実施形態に限定されるものではなく、本発明の要旨を逸脱しない範囲内にて、種々の態様をとることができる。
例えば、上記実施形態では、受信信号に含まれるテレビ放送信号の信号レベルをチャンネル毎に検出する際、受信設備から伝送されてくる可能性のある地上デジタル放送全チャンネル分に対し選局を行い、各チャンネルの信号レベルを検出するものとして説明したが、設置される地域が既知で、再送信対象となるテレビ放送信号のチャンネルが判明してい
る場合には、Ｓ１２０〜Ｓ１７０の処理で、そのチャンネルに対してのみ信号レベルの検出を行うようにしてもよい。
【符号の説明】
【００５１】
２…テレビ端子、４…送信アンテナ、１０…テレビ放送再送信装置、１２，１６…増幅回路、１４，１８…ＧＣ回路、２０…ＡＧＣ回路、２２…分岐回路、２４…増幅回路、２６…局部発振器、２８…ミキサ、３０…ＢＰＦ，３２…増幅回路、３４…検波器、３６…選局回路、４０…制御回路。
【図１】
2010239533.tif 000003
【図２】
2010239533.tif 000004